(57)【要約】      （修正有）【課題】着座者の付近に容易に荷物類を位置付けておくことができる椅子を提供する。【解決手段】脚体１と、この脚体１により回転可能に支持された支持基部２と、この支持基部２上に配された座３と、前記支持基部２に支持され前記座３の後端部３２を支持する背凭れ４とを具備し、前記背凭れ４の後傾動作と前記座の後端部３２の下降動作とを連動させるためのシンクロチルト機構を備えてなる椅子において、前記支持基部２と前記座３との間に荷物載置面６ａが設けられ、この荷物載置面６ａと座３の裏面との間に荷物を出し入れ自在に収容するための荷物載置空間Ｘが形成され、この荷物載置空間が前側の上下寸法よりも後側の上下寸法が大きく形成されている。【選択図】図１
2011172687.tif 000002
【特許請求の範囲】
【請求項１】
脚体と、この脚体により回転可能に支持された支持基部と、この支持基部上に配された座と、前記支持基部に支持され前記座の後端部を支持する背凭れとを具備し、前記背凭れを起立姿勢から後傾させる後傾動作と前記座の後端部の下降動作とを連動させるためのシンクロチルト機構を備えてなる椅子において、
前記支持基部と前記座との間に荷物載置面が設けられ、この荷物載置面と座の裏面との間に荷物を出し入れ自在に収容するための荷物載置空間が形成され、
前記背凭れが起立姿勢にあるときの前記荷物載置空間が、前側の上下寸法よりも後側の上下寸法が大きく形成されていることを特徴とする椅子。
【請求項２】
前記支持基部の上面を覆い隠すようにして棚板が設けられており、その棚板に前記荷物載置面の一部又は全部が形成され、
前記棚板が、当該棚板の前部に前記支持基部の上面に係り合うことにより支持される係合被支持部を有している請求項１記載の椅子。
【請求項３】
前記支持基部の上面を覆い隠すようにして棚板が設けられており、その棚板に前記荷物載置面の一部又は全部が形成され、
前記棚板が、当該棚板の後部を前記支持基部の後端よりも後方に迫り出して設けるとともに前記後部の裏面側に前記支持基部の後端部に当接するリブを有している請求項１又は２記載の椅子。
【請求項４】
前記背凭れが前記支持基部に対して傾動可能に支持された背フレームを有するものであり、
荷物載置空間が、前記背フレーム、前記支持基部及び前記座で側面視囲まれ左右側方に開口したものである請求項１、２又は３記載の椅子。
【請求項５】
前記支持基部が側方へ延出して前記背フレームを傾動可能に軸支する延出軸支部を有するとともに、前記背フレームが前記延出軸支部に支持され後方へ延出する前後方向部と、この前後方向部の後端から上方へ延出する上下方向部とを有し、
前記前後方向部を、前記棚板の両側よりも外側に配している請求項４記載の椅子。
【請求項６】
前記棚板が、当該棚板の左右縁部から立ち上がる立ち上がり部を有している請求項５記載の椅子。
【請求項７】
前記立ち上がり部の上縁と前記背フレームの前後方向部の上縁とを、前記背凭れを起立状態とした際に側面視揃えて位置付けている請求項６記載の椅子。
【請求項８】
前記背フレームが、前記支持基部から後方へ延出する前後方向部と、この前後方向部の後端から上方へ延出する上下方向部とを有し、
前記棚板を前記前後方向部よりも上方に配置している請求項４記載の椅子。
【請求項９】
前記棚板の左右縁部を、前記座の左右縁部よりも正面視内側に位置付けている請求項８記載の椅子。
【請求項１０】
前記棚板の後端を前記前後方向部の後端よりも前側に位置付け、
この棚板が、前記後端に上方へ立ち上がる立ち上がり部を有している請求項５、６、７、８又は９記載の椅子。
【発明の詳細な説明】
【技術分野】
【０００１】
本発明は、背凭れの動作と座の動作とを一定の比率で連動させるシンクロチルト機構を備えてなる椅子のうち、フリーアドレスタイプのオフィスで好適に使用され得る椅子に関するものである。
【背景技術】
【０００２】
フリーアドレス形式のオフィスレイアウトを採用したフリーアドレスオフィス（例えば、下記非特許文献を参照）は、１９８０年代後半に始まったとされる。フリーアドレスオフィスでは、執務者個々人の自席を固定せず、誰でも自由に利用できるデスク及び椅子を配したカフェスタイルのフロアを構築する。
【０００３】
そしてこのようなフリーアドレスオフィスの場合、執務者は、必要書類やパーソナルコンピュータ等を予め勤務者に割り当てられたロッカー等から取り出し、それらをオフィス内に持参し、空いている席に着いて仕事をする。
【０００４】
つまり、また他方、現在のオフィスでは、背凭れの動作と座の動作とを一定の比率で連動させるシンクロチルト機構を備えてなる椅子が多く適用されている（例えば、特許文献１参照）。
【先行技術文献】
【特許文献】
【０００５】
【特許文献１】特開２００８−２１２３９９号公報
【非特許文献】
【０００６】
【非特許文献１】嶋村仁志、山田哲弥、杉山武、岩田美成、「研究執務スペースのフリーアドレス化に関する研究その１：折畳移動机を用いたフリーアドレス・オフィスのユーザー満足度評価による効果分析」、日本建築学会計画系論文集、社団法人日本建築学会、１９９８年７月３０日、Ｎｏ．５０９、ｐｐ．１２９−１３４
【非特許文献２】岩切一幸、毛利一平、外山みどり、野瀬かおり、落合孝則、城内博、斉藤進、「フリーアドレス形式オフィスレイアウトでのＶＤＴ作業者の姿勢および身体的疲労感」、産業衛生学雑誌、社団法人日本産業衛生学会、２００６年１月２０日、Ｖｏｌ．４８、ｐｐ．７−１４
【発明の概要】
【発明が解決しようとする課題】
【０００７】
ここで、上述のようなフリーアドレスオフィスにおける執務者の実際の作業を考えると、上記のような必要書類等に限られず、様々な荷物類を椅子に近接した位置に位置付けておく事ができる椅子が求められている。すなわち、上記特許文献１に挙げたようなシンクロチルト機構を具備している椅子においても、同様に上記の要求を満たし得る椅子が求められる。しかしながら同文献に挙げたものの他、現在オフィスで採用されているシンクロチルト機構は背凭れの後傾に伴い座の後端部が沈み込む動作を行なうものが殆どであり、荷物類を載置する際にはこのような椅子の特性に好適に応じ得るものが必要となる。
【０００８】
本発明は、このような点に着目したものであり、着座者の付近に容易に荷物類を位置付けておくことができる椅子を提供することを目的としている。
【課題を解決するための手段】
【０００９】
本発明は、このような目的を達成するために、次のような手段を講じたものである。すなわち本発明に係る椅子は、脚体と、この脚体により回転可能に支持された支持基部と、この支持基部上に配された座と、前記支持基部に支持され前記座の後端部を支持する背凭れとを具備し、前記背凭れを起立姿勢から後傾させる後傾動作と前記座の後端部の下降動作とを連動させるためのシンクロチルト機構を備えてなる椅子において、前記支持基部と前記座との間に荷物載置面が設けられ、この荷物載置面と座の裏面との間に荷物を出し入れ自在に収容するための荷物載置空間が形成され、前記背凭れが起立姿勢にあるときの前記荷物載置空間が、前側の上下寸法よりも後側の上下寸法が大きく形成されていることを特徴とする。
【００１０】
このようなものであれば、シンクロチルト機構によって座の後端部が沈み込んだとしても、荷物載置空間が前側の上下寸法よりも後側の上下寸法が大きく形成されているので、荷物載置面上に載置した荷物に座が干渉してしまうという不具合を有効に回避することが可能となる。そうすることにより、オフィスによって多く用いられているシンクロチルト機構を具備する椅子においても、好適に着座者の近辺に荷物を載置し得るものを提供することが可能となる。
【００１１】
そして、安定して荷物を載置し得る荷物載置面を構成するためには、支持基部の上面を覆い隠すようにして棚板を設け、その棚板に荷物載置面の一部又は全部を形成し、棚板を、棚板の前部に前記支持基部の上面に係り合うことにより支持される係合被支持部を有するものとすることが望ましい。
【００１２】
また荷物載置面をより大きく設定するための構成としては、上述の通り棚板に荷物載置面の一部又は全部が形成されるものとして、当該棚板の後部を前記支持基部の後端よりも後方に迫り出して設けるとともに前記後部の裏面側に前記支持基部の後端部に当接するリブを設けることが望ましく、このようなものであれば、棚板の後部に斯かる荷物の荷重に対しても安定して耐え得るものを構成できる。
【００１３】
そして、荷物載置空間を着座者が荷物の出し入れが行ない易いように構成するためには、背凭れを支持基部に対して傾動可能に支持された背フレームを有するものとして、前記背フレーム、前記支持基部及び前記座で側面視囲まれ左右側方に開口した荷物載置空間を設定することが好ましい。
【００１４】
座の下方の荷物載置空間の上下寸法を大きく確保することにより椅子の動作に対し、より荷物が干渉され難い構成とするためには、支持基部に側方へ延出して前記背フレームを傾動可能に軸支する延出軸支部を設けて、背フレームを延出軸支部に支持され後方へ延出する前後方向部と、この前後方向部の後端から上方へ延出する上下方向部とを有したものとし、前後方向部を、棚板の両側よりも外側に配するようにすることが望ましい。
【００１５】
そして側方からの荷物の出し入れを円滑なものとするとともに、側方への荷物のずれを有効に回避するためには、棚板の左右縁部から立ち上がる立ち上がり部を設けておくことが好ましい。
【００１６】
より荷物の出し入れをスムーズに行ない得るものとするためには、立ち上がり部の上縁と背フレームの前後方向部の上縁とを、背凭れを起立状態とした際に側面視揃えて位置付けておくことが好ましい。
【００１７】
また他方、背フレームを支持基部から後方へ延出する前後方向部と前後方向部の後端から上方へ延出する上下方向部とを有したものとして、棚板を背起立状態にある前後方向部よりも上方に配置したものとすれば、荷物載置面を前後方向部に干渉されることを有効に回避して、座の下方において平面視でより大きな荷物載置空間を設定することができる。
【００１８】
椅子の通常の使用時に棚板が着座者の動作の邪魔にならないようにするためには、棚板の左右縁部を、座の左右縁部よりも正面視内側に位置付けておくことが好ましい。
【００１９】
そして、荷物が後方へ脱落することを有効に回避するための構成として、棚板の後端を前後方向部の後端よりも前側に位置付けたものを挙げることができる。
【発明の効果】
【００２０】
本発明によれば、シンクロチルト機構によって座の後端部が沈み込んだとしても、荷物載置空間が前側の上下寸法よりも後側の上下寸法が大きく形成されているので、荷物載置面上に載置した荷物に座が干渉してしまうという不具合を有効に回避することが可能となる。そうすることにより、オフィスによって多く用いられているシンクロチルト機構を具備する椅子においても、好適に着座者の近辺に荷物を載置し得るものを提供することができる。
【図面の簡単な説明】
【００２１】
【図１】本発明の第１実施形態に係る椅子の側面図。
【図２】同背面図。
【図３】図１に対応した動作説明図。
【図４】本実施形態の変形例に係る椅子の側面図。
【図５】同背面図。
【図６】図４に対応した動作説明図。
【図７】同実施形態の他の変形例に係る外観図。
【発明を実施するための形態】
【００２２】
＜第1実施形態＞
以下、本発明の第１実施形態につき、図面を参照して説明する。
【００２３】
この椅子は、図１ないし図３に示すように、脚体１と、この脚体１の上部に支持され水平旋回可能な支持基部２と、この支持基部２の上に配された座３と、前記座３側方から左右上方に延びて設けられた肘掛け５と、支持基部２に後傾動作可能に設けられた背フレーム４０を有する背凭れ４と、そして後に詳述する棚板６とを具備してなる。斯かる構成によりこの椅子は、背フレーム４０後傾時に座３も連動して後方に沈み込むシンクロチルト動作をするようになっている。
【００２４】
脚体１は、同図に示すように、キャスタ１１を有した脚羽根タイプの脚ベース１２と、この脚ベース１２の中心部に立設した脚支柱１３とを具備してなる。脚支柱１３は、ガススプリングを主体に構成された通常のもので、この脚支柱１３の上端部に支持基部２が取り付けられている。
【００２５】
支持基部２は、同図に示すように、脚体１によって水平旋回可能に支持されたもので、脚支柱１３に装着されたハウジング２１と、このハウジング２１の前後中間部から両側へ突出させて設けた背凭れ４支持用の延出軸支部たる支軸２２とを具備してなる。そして本実施形態ではこの支軸２２にトーションバーとしての作用を奏させて傾動反力発生機構としての役割を担わせることにより、支持基部２自体をよりコンパクトに構成しているが、図示しないコイルスプリングやガススプリング等を用いて支軸２２に回転方向の弾性反発力を付与し得るように構成されたものや、通常の他の構成を使用しても良い。また他方支持基部２は、前端部において上下方向リンク２３を介して座３の前端部３１を支持している。これにより荷物載置空間Ｘの前側部分の上下寸法Ｘ２を有効に確保し得るものとなっている。また勿論図示のような上下方向リンク２３に限らず、支持基部２の前端部を立ち上がるように隆起させて、その上端部と座３の前部下面とで前後スライドする構成としても良い。さらに支持基部２は、同図では脚支柱１３から斜め上方に延出した形状としているが、勿論前方に水平に延びるようにしても良い。そうすれば前から後まで略水平に後述の棚板を確保でき、より大きな荷物載置空間Ｘを確保できる。
【００２６】
座３は、図１に示すように、座受に座面を構成するクッション体を装着してなるものである。本実施形態では、座３の前端部３１は、支持基部２に対し前記上下方向リンク２３を介して動作可能に支持させており、座３の後端部３２は、背フレーム４０における座支持部４４に前後スライド可能に取り付けている。また当該座３は、後端部３２の上方に、後述の張地４１の下方を支持するとともに着座者の腰部を支えるためのランバーサポート部３３を具備しているが、当該ランバーサポート部３３は、斯かる態様に限られることはなく、例えば背フレーム４０に設けられたものであるなど、他の構成を適用しても良い。
【００２７】
背凭れ４は、同図に示すように、背フレーム４０の前面に背凭れ４の前面を構成する張地４１を張り設けたものである。背フレーム４０は、全体が側面視ほぼＬ字型であり、基端部を前記支持基部２の支軸２２に後傾動作可能に取り付けられた左右対をなす前後方向部４２と、この前後方向部４２の先端すなわち後端から上方に延出する上下方向部４３と、この上下方向部４３から前方に突出させて形成され、前記座３の後端部３２を支持、詳細には、背フレーム４０の後傾に伴って後端部３２を前後スライド可能に支持する座支持部４４を備えている。本実施形態では、座支持部４４を上下方向部４３側に設けることにより後述する荷物載置空間Ｘの後側の上下寸法を大きく設定し得るものとしているが、勿論前後方向部４２から上方へ持ち出すことにより構成した構成や、その他の構成により設けたものであって良い。また本実施形態では一対の前後方向部４２を支軸２２から外嵌するように取り付けることにより、一対の前後方向部４２間の離間距離を十分に確保したものとなっている。
【００２８】
本実施形態の椅子は、座３及び背凭れ４が連動して傾動するシンクロロッキング動作が可能である。すなわち、シンクロロッキング動作では、背フレーム４０全体が支軸２２回りに回動することで背凭れ４が前後に傾動する。同時に、座３の後端部３２が背フレーム４０に連動して上下に揺動しつつ前後にスライドし、かつ座３の前端部３１が前後に動作する。
【００２９】
肘掛け５は、左右対称形状をなしている、所謂Ｔ型肘の形状を採用したものであり、基端部を前記座３に取り付けられた肘支柱５０と、この肘支柱５０に支持された肘当て５１とを具備してなる。なお本実施形態に係る肘掛け５は、座３に対して固定され且つ一体的に形成されたＴ型肘の態様としているが、例えば肘支柱５０の長さを適宜変更して肘当て５１の高さ寸法を変更し得る可動肘の態様を採用してもよい。また勿論、肘当て５１を水平方向に旋回可能に構成した態様を適用してもよい。さらに本実施形態の肘掛け５は、基端部を座３に取り付けることによって荷物載置空間Ｘよりも上から上方へ突出させて、荷物載置空間Ｘへのアクセスに干渉することを有効に回避した態様を適用している。藻に津載置空間Ｘへのアクセスに肘掛け５を干渉させない態様としては、図示の態様の他、背フレーム４０の上下方向部４３における荷物載置空間Ｘよりも高い位置から前方に肘支柱５０を例えば水平に持ち出して肘掛け５構成しても良い。
【００３０】
しかして本実施形態に係る椅子は以上に述べたような背凭れ４の後傾動作と前記座３の後端部３２の下降動作とを連動させるためのシンクロチルト機構を備えてなる椅子である。そして支持基部２と座３との間に荷物載置面６ａが設けられている。そしてこの荷物載置面６ａと座３の裏面との間に荷物を出し入れ自在に収容するための荷物載置空間Ｘが形成され、この荷物載置空間Ｘが前側の上下寸法Ｘ２よりも後側の上下寸法Ｘ１が大きく形成されていることを特徴とする。
【００３１】
荷物載置空間Ｘが、前記背フレーム４０、前記支持基部２及び前記座３で側面視囲まれ左右側方に開口したものである。前記支持基部２の上面を覆い隠すようにして棚板６が設けられており、その棚板６に前記荷物載置面６ａの全部を形成している。
【００３２】
以下、棚板６の構成を基に、荷物載置空間Ｘ並びに荷物載置面６ａについて説明する。
【００３３】
棚板６は、本実施形態では支持基部２の上側の略全面を覆うことにより荷物載置面６ａの全てを構成し得るものであって、支持基部２の上方に位置付けた前部６１と、支持基部２の後端よりも後方に迫り出して設けた後部６２と、両側を上方に立ち上げた左右立ち上がり部６３と、後端を前記左右立ち上がり部６３よりもさらに大きな寸法で立ち上げた後端立ち上がり部６４とを主に有している。前部６１は、支持基部２のハウジング２１上面に係り合うことにより固定支持される係合被支持部たる係合部６１ａを有している。後部６２は、棚板６の裏面側において支持基部２の後端部に当接するリブ６２ａを有している。
【００３４】
しかして本実施形態では、この棚板６の後端は、前後方向部４２の後端よりも前側に位置付けているとともに、前記背凭れ４を起立状態とした際に立ち上がり部の上縁と前記背フレーム４０の前後方向部４２の上縁とを、側面視揃えて位置付けている。
【００３５】
そしてこの椅子を図３に示すように背凭れ４を後傾動作させると、座３の後端部３２が背支持部４４に対しスライドしながら下方に沈み込むこととなり、棚板６の後部６２に近接することとなるが、上述の通り荷物載置空間Ｘは背凭れ４を起立姿勢とした際に後側の上下寸法Ｘ１の方が前側の上下寸法Ｘ２よりも大きく設定しているため、座３の後端部３２又はその近傍が荷物載置面６ａ近傍の荷物に干渉することはない。
【００３６】
以上のような構成とすることにより、本実施形態に係る椅子は、シンクロチルト機構によって座３の後端部３２が沈み込んだとしても、荷物載置空間Ｘが前側の上下寸法Ｘ２よりも後側の上下寸法Ｘ１が大きく形成されているので、荷物載置面６ａ上に載置した荷物に座３が干渉してしまうという不具合を有効に回避している。その結果、好適に着座者の近辺に荷物を載置し得る特性と、オフィスによって多く用いられているシンクロチルト機構とを好適に両立させることを実現している。
【００３７】
そして、安定して荷物を載置し得る荷物載置面６ａを構成するために本実施形態では、支持基部２の上面を覆い隠すようにして棚板６を設け、その棚板６に荷物載置面６ａの全部を形成し、棚板６の前部６１に前記支持基部２の上面に係り合うことにより支持される係合被支持部たる係合部６１ａを設けたものとしている。
【００３８】
また荷物載置面６ａをより大きく設定するための構成として本実施形態では、棚板６の後部６２を支持基部２の後端よりも後方に迫り出して設けるとともにこの後部６２の裏面側に支持基部２の後端部に当接するリブ６２ａを設けている。斯かる構成により、棚板６の後部６２に斯かる荷物の荷重に対しても安定して耐え得るものとなっている。
【００３９】
そして、着座者が荷物の出し入れが行ない易い荷物載置空間Ｘを構成するために本実施形態では、背凭れ４を支持基部２に対して傾動可能に支持された背フレーム４０を有するものとして、前記背フレーム４０、前記支持基部２及び前記座３で側面視囲まれ左右側方に開口させた箇所を荷物載置空間Ｘとしている。
【００４０】
特に本実施形態では、座３の下方の荷物載置空間Ｘの上下寸法Ｘ１、Ｘ２を大きく確保することにより、より好適に荷物を載置し得るものとするために、ケーシングから側方へ延出して背フレーム４０を傾動可能に軸支する延出軸支部たる支軸を支持基部２側に設けて、当該支軸に支持された対をなす前後方向部４２の間に棚板６を設定している。
【００４１】
そして側方からの荷物の出し入れを円滑なものとするとともに、側方への荷物のずれを有効に回避するために本実施形態では、棚板６の左右縁部から立ち上がる左右立ち上がり部６３を設けている。
【００４２】
そして本実施形態では、左右立ち上がり部６３の上縁と背フレーム４０の前後方向部４２の上縁とを、背凭れ４を起立状態とした際に側面視揃えて位置付けているので、より荷物の出し入れをスムーズに行ない得るものとなっている。
【００４３】
更に本実施形態では後端立ち上がり部６４を設けることにより、荷物載置面６ａ上の荷物が後方へ脱落することを有効に回避したものとなっている。
【００４４】
＜変形例＞
次に、本発明の変形例について説明するが、上記第１実施形態と同様の構成要素については、同じ符号を付すとともにその詳細な説明を省略するものとする。すなわち、本変形例に係る椅子は、脚体１、支持基部２、座３、背凭れ４、肘掛け５については上記第1実施形態と全く同じ構成の椅子を適用しているので、その詳細な説明を省略する。
【００４５】
しかして本実施形態に係る椅子は、上記構成のもと、棚板６を背フレーム４０の前後方向部４２よりも上方に配置することにより、平面視においてより広い荷物載置空間Ｘの確保を実現しているものである。
【００４６】
具体的には、棚板６は、左右の縁部を前後方向部４２の外側よりも広く確保している。また当該左右の縁部は、座３の左右縁部よりも正面視又は平面視内側に位置付けられたものとなっている。そして左右立ち上がり部６３は図５に示すように、背フレーム４０よりも上方に突出するとともに、左右両方向外側向きに傾斜させて設けているため、荷物載置面６ａ上の荷物の出し入れ時に背フレーム４０にも引っかからず、好適な使い心地を実現している。
【００４７】
さらに本実施形態に係る椅子は、図４に示すように、背凭れ４を起立状態とした際に棚板６の後端を前後方向部４２の後端よりも前側に位置付けている。斯かる構成により、背凭れ４を起立状態とした時に背フレーム４０の上下方向部４３と棚板６とが互いに干渉しないものとなっている。
【００４８】
斯かる構成の椅子であっても上記実施形態に係る椅子と同様に、座３の後端部３２が沈み込んだとしても、荷物載置空間Ｘが前側の上下寸法Ｘ２よりも後側の上下寸法Ｘ１が大きく形成されているので、荷物載置面６ａ上に載置した荷物に座３が干渉してしまうという不具合を有効に回避している。
【００４９】
＜他の変形例＞
以下、本実施形態の他の変形例について説明するが、上記変形例同様、上記実施形態と同様の構成要素については、同じ符号を付すとともにその詳細な説明を省略するものとする。また本変形例で参照する図７において、便宜上、背凭れ４並びに肘掛け５の図示を想像線にて示すものとする。
【００５０】
本変形例の椅子は、図７に示すように、脚体１と、この脚体１の上部に支持され水平旋回可能な支持基部２と、この支持基部２の上に配された座３と、前記座３側方から左右上方に延びて設けられた肘掛け５と、支持基部２に後傾動作可能に設けられた背フレーム４０を有する背凭れ４と、そして後に詳述する棚板６とを具備してなる。斯かる構成によりこの椅子は、背フレーム４０後傾時に座３も連動して後方に沈み込むシンクロチルト動作をするようになっているものである。そしてこの椅子はまた上記実施形態同様に、支持基部２と座３との間に荷物載置面６ａが設けられている。そしてこの荷物載置面６ａと座３の裏面との間に荷物を出し入れ自在に収容するための荷物載置空間Ｘが形成され、この荷物載置空間Ｘが前側の上下寸法Ｘ２よりも後側の上下寸法Ｘ１が大きく形成されているものである。
【００５１】
そして本変形例に係る椅子は、荷物載置面６ａが上方が開放可能に構成された箱体６０の一部を構成するものである。さらに、座３を着座可能な使用位置から、箱体６０の上方を開放する開放位置まで動作させ得る上方開放機構Ｚを具備しているものである。
【００５２】
箱体６０は、具体的には同図に示すように、棚板６の周囲に周壁６５を設け、これら棚板６と周壁６５とによって構成されているものである。そして、この箱体６０の底部を構成する棚板６の上面が、本変形例に係る荷物載置面６ａとなっている。そして本変形例では、周壁６５は荷物載置空間Ｘの上下寸法と概ね同じか、或いは若干寸法低く設定されており、座３を使用位置とした場合では荷物載置面６ａへの側方からのアクセスが出来ない構成となっている。
【００５３】
上方開放機構Ｚは、座３の前端部を中心に上方へ跳ね上げ動作をさせることにより、座３を回転させる回転動作によって、同図に図示している開放位置をとるものである。
【００５４】
加えて本変形例では、座３にメッシュ３ｍを張り設けることにより、箱体６０をメッシュ３ｍを介して上方から視認し得るように構成している。またメッシュ３ｍを適用することによって、クッション体を適用する態様に比べて、座３の下方の荷物載置空間Ｘを上下方向に大きく確保し得るものとなっている。
【００５５】
このような構成とすることにより、本変形例に係る椅子は、上記実施形態同様に好適に着座者の近辺に荷物を載置し得る特性と、オフィスによって多く用いられているシンクロチルト機構とを好適に両立させるという効果を奏するのみならず、荷物載置面６ａ上の収納物の逸散を有効に防ぎ得るものとなっている。また、着座時には荷物載置面６ａへのアクセスが不能となる。すなわち、着座中における荷物の紛失を有効に防ぐことができるという、セキュリティ性の高いものとなっている。勿論、座３を使用位置とした状態で施錠できる施錠機構を別途設けても良い。
【００５６】
以上、本発明の実施形態及び各変形例について説明したが、各部の具体的な構成は、上述した実施形態のみに限定されるものではなく、本発明の趣旨を逸脱しない範囲で種々変形が可能である。
【００５７】
例えば、上記実施形態では支持基部の上面を全て覆う態様の荷物載置面を開示したが、勿論、支持基部の上面の一部を上方に露出させることにより、支持基部と棚板或いは箱体の一部とが荷物載置面を構成しているものであってもよい。そして上記変形例では荷物載置面の上方を開放するために、座全体が動作する態様を開示したが、例えば平面視荷物載置面に平面視対応する座の一部分のみを上方に跳ね上げたり、座を水平方向にスライドさせたりする構成を適用しても良い。また背フレームの具体的な形状や棚板の具体的な態様は上記実施形態のものに限定されることはなく、既存のものを含め、種々の態様のものを適用することができる。
【００５８】
その他、各部の具体的構成についても上記実施形態に限られるものではなく、本発明の趣旨を逸脱しない範囲で種々変形が可能である。
【符号の説明】
【００５９】
１…脚体
２…支持基部
２２…延出軸支部（支軸）
３…座
４…背凭れ
４０…背フレーム
４２…前後方向部
４３…上下方向部
６…棚板
６ａ…荷物載置面
６１ａ…係合被支持部（係合部）
６２ａ…リブ
６３…立ち上がり部（左右立ち上がり部）
６４…立ち上がり部（後端立ち上がり部）
Ｘ…荷物載置空間
【図１】
2011172687.tif 000003
【図２】
2011172687.tif 000004
【図３】
2011172687.tif 000005
【図４】
2011172687.tif 000006
【図５】
2011172687.tif 000007
【図６】
2011172687.tif 000008
【図７】
2011172687.tif 000009